(57)【要約】【課題】不要なショートカットキーの表示を無くすこと。【解決手段】所定の目的地を指定するための少なくとも１つのショートカットキーを表示部１２の画面上に表示させる出力制御部１１を備えるナビゲーション装置１において、ショートカットキー１７−１，１７−２，１７−３の個々に対応して複数の所定の目的地がそれぞれ設定可能であり、出力制御部１１は、自車位置１８と所定の目的地との位置関係または時間帯に応じてショートカットキー１７−１，１７−２，１７−３に設定された複数の所定の目的地の中からいずれかを選択するものである。【選択図】図１
2010276501.tif 000002
【特許請求の範囲】
【請求項１】
所定の目的地を指定するための少なくとも１つのショートカットキーを表示手段の画面上に表示させる表示制御手段を備えるナビゲーション装置において、
上記ショートカットキーに対応して複数の上記所定の目的地が設定され、
上記表示制御手段は、自車位置と上記所定の目的地との位置関係または時間帯に応じて上記ショートカットキーに設定された複数の上記所定の目的地の中からいずれかを選択する、
ことを特徴とするナビゲーション装置。
【請求項２】
請求項１記載のナビゲーション装置において、
前記表示制御手段は、複数の前記ショートカットキーの中から自車位置と前記所定の目的地との位置関係または時間帯または前記ショートカットキーの使用頻度または自車位置近傍の施設のジャンルに応じて非表示とするショートカットキーを選択する、
ことを特徴とするナビゲーション装置。
【請求項３】
請求項１または２記載のナビゲーション装置において、
前記時間帯は、前記ショートカットキー毎に設定される、
ことを特徴とするナビゲーション装置。
【請求項４】
所定の目的地を指定するための少なくとも１つのショートカットキーを画面上に表示するナビゲーション装置が行う上記ショートカットキーの表示方法において、
上記ショートカットキーに対応して複数の上記所定の目的地が設定され、
自車位置と上記所定の目的地との位置関係または時間帯に応じて上記ショートカットキーに設定された複数の上記所定の目的地の中からいずれかを選択するステップを有する、
ことを特徴とするショートカットキーの表示方法。
【請求項５】
請求項４記載のショートカットキーの表示方法において、
複数の前記ショートカットキーの中から自車位置と前記所定の目的地との位置関係または時間帯または前記ショートカットキーの使用頻度または自車位置近傍の施設のジャンルに応じて非表示とするショートカットキーを選択するステップをさらに有する、
ことを特徴とするショートカットキーの表示方法。
【請求項６】
請求項４または５記載のショートカットキーの表示方法において、
前記時間帯は、前記ショートカットキー毎に設定される、
ことを特徴とするショートカットキーの表示方法。
【請求項７】
情報処理装置にインストールすることにより、その情報処理装置に、
請求項１から３のいずれか１項記載のナビゲーション装置の前記表示制御手段の機能を実現する、
ことを特徴とするプログラム。
【発明の詳細な説明】
【技術分野】
【０００１】
本発明は、ナビゲーション装置、ショートカットキーの表示方法およびプログラムに関する。
【背景技術】
【０００２】
自動車などのナビゲーション装置では、目的地を瞬時に設定するための固定的なショートカットキーが画面上に表示されるようになっているものがある。たとえばナビゲーション装置の画面上に、自宅を目的地として設定するためのショートカットキーを表示させておけば、ある地点から自宅に帰りたいときに、このショートカットキーを押すだけで瞬時に自宅を目的地として設定できる。
【０００３】
特許文献１の提案では、画面の一部にショートカットキーとしての固定アイコンを表示する領域が設けてある。そして、この固定アイコンに対して自由に機能を設定できる。たとえば１つの固定アイコンには、当該固定アイコンを操作することにより自宅が目的地として設定される機能を設定する。さらに、他の固定アイコンには、当該固定アイコンを操作することにより会社が目的地として設定される機能を設定する。これにより、ナビゲーション装置に、ある地点から自宅または会社といった任意の目的地を瞬時に設定可能となる。
【０００４】
また、特許文献２の提案では、希望する到着時刻および施設の種別についての条件を指定することにより、ナビゲーション装置の画面上に、この条件を満たす施設を目的地として設定可能なショートカットキーとしてのアイコンを表示させることができる。そして、ナビゲーション装置の画面上に表示されている条件を満たす目的地を示すアイコンを、自車位置および道路事情の少なくとも一方に応じて置き換えることができる。
【先行技術文献】
【特許文献】
【０００５】
【特許文献１】特開平５−１２７８１３号公報
【特許文献２】特開２００６−１８４０９６号公報
【発明の概要】
【発明が解決しようとする課題】
【０００６】
特許文献１の提案では、たとえば１つの固定アイコンＡを、自宅を目的地に設定する機能に対応するショートカットキーとし、他の固定アイコンＢを、会社を目的地に設定する機能に対応するショートカットキーとする。このときに、自車位置が自宅近くであるときには画面上の固定アイコンＡの存在は不要になる。また、自車位置が会社近くであるときには画面上の固定アイコンＢの存在は不要になる。
【０００７】
すなわち、特許文献１の提案では、自車位置に応じて不要となる固定アイコンが発生するにも関わらず常時同じ固定アイコンが表示されてしまう。これにより、表示画面の有効利用が妨げられる。また、ユーザが不要となる固定アイコンを誤操作してしまう可能性が生じ、ユーザの利便性も低下する。
【０００８】
また、特許文献２の提案では、ナビゲーション装置の画面上に予め設定した条件を満たすアイコンが表示される。しかしながら、特許文献２の提案では、自宅や会社などのように、頻繁に設定する目的地に対応するための固定的なアイコンの表示方法については言及していない。すなわち、特許文献２の提案は、頻繁に設定する目的地に対応するための固定的なアイコンの表示方法に係る提案ではない。
【０００９】
本発明は、このような背景の下に行われたものであって、不要なショートカットキーの表示を無くすことができるナビゲーション装置、ショートカットキーの表示方法およびプログラムを提供することを目的とする。
【課題を解決するための手段】
【００１０】
本発明の１つの観点は、ナビゲーション装置としての観点である。すなわち、本発明のナビゲーション装置は、所定の目的地を指定するための少なくとも１つのショートカットキーを表示手段の画面上に表示させる表示制御手段を備えるナビゲーション装置において、ショートカットキーに対応して複数の所定の目的地が設定され、表示制御手段は、自車位置と所定の目的地との位置関係または時間帯に応じてショートカットキーに設定された複数の所定の目的地の中からいずれかを選択するものである。
【００１１】
さらに、表示制御手段は、複数のショートカットキーの中から自車位置と所定の目的地との位置関係または時間帯またはショートカットキーの使用頻度または自車位置近傍の施設のジャンルに応じて非表示とするショートカットキーを選択するようにしてもよい。
【００１２】
なお、時間帯は、ショートカットキー毎に設定されることが好ましい。
【００１３】
本発明の他の観点は、ショートカットキーの表示方法としての観点である。すなわち、本発明のショートカットキーの表示方法は、所定の目的地を指定するための少なくとも１つのショートカットキーを画面上に表示するナビゲーション装置が行うショートカットキーの表示方法において、ショートカットキーに対応して複数の所定の目的地が設定され、自車位置と所定の目的地との位置関係または時間帯に応じてショートカットキーに設定された複数の所定の目的地の中からいずれかを選択するステップを有するものである。
【００１４】
さらに、複数のショートカットキーの中から自車位置と所定の目的地との位置関係または時間帯またはショートカットキーの使用頻度または自車位置近傍の施設のジャンルに応じて非表示とするショートカットキーを選択するステップをさらに有するようにしてもよい。
【００１５】
なお、時間帯は、ショートカットキー毎に設定されることが好ましい。
【００１６】
本発明のさらに他の観点は、プログラムとしての観点である。すなわち、本発明のプログラムは、情報処理装置にインストールすることにより、その情報処理装置に、本発明のナビゲーション装置の表示制御手段の機能を実現するものである。
【発明の効果】
【００１７】
本発明によれば、不要なショートカットキーの表示を無くすことができる。
【図面の簡単な説明】
【００１８】
【図１】本発明の第１の実施の形態に係るナビゲーション装置の要部ブロック構成図である。
【図２】図１の表示制御部の動作手順を示すフローチャートである。
【図３】図１の表示制御部の動作手順を説明するための表示部の表示例を示す図である。
【図４】図１のナビゲーション装置における目的地設定の際の表示部の表示例を示す図である。
【図５】図１のナビゲーション装置におけるショートカットキー切替設定の際の表示部の表示例を示す図である。
【図６】本発明の第２の実施の形態のナビゲーション装置における目的地設定画面の表示例を示す図である。
【図７】本発明の第３の実施の形態に係るナビゲーション装置の表示部の表示例を示す図である。
【図８】本発明の第３の実施の形態に係るナビゲーション装置における目的地設定画面の表示例を示す図である。
【発明を実施するための形態】
【００１９】
（本発明の第１の実施の形態に係るナビゲーション装置１の構成について）
本発明の第１の実施の形態に係るナビゲーション装置１の構成について図１を参照して説明する。図１は、ナビゲーション装置１の要部ブロック構成図である。ナビゲーション装置１は、ナビゲーション機能部１０（請求項でいう表示制御手段の一部）、出力制御部１１（請求項でいう表示制御手段の主部）、表示部１２（請求項でいう表示手段）、目的地記憶部１３、入力操作制御部１４（請求項でいう表示制御手段の一部）、操作部１５、スピーカ１６を備えている。なお、表示部１２は、その表示画面上にタッチパネルなどの入力手段（不図示）も併せて備えているものとする。
【００２０】
ナビゲーション機能部１０は、自動車などのナビゲーションを行うための基本的な各種の機能を有する。たとえばナビゲーション機能部１０は、ＣＰＵ(Central Processing Unit)、ＲＯＭ(Read Only Memory)、ＲＡＭ(Random Access Memory)などから構成され、予めＲＯＭに書き込まれた制御プログラムにしたがって、車速センサ（不図示）、ＧＰＳ(Global Positioning System)（不図示）などからの情報に基づいて自車をユーザが設定した目的地まで誘導する機能を有する。
【００２１】
出力制御部１１は、ナビゲーション機能部１０からの指示に基づいて表示部１２の画面上に図形や画像などの情報およびテキスト情報を表示させる。また、出力制御部１１は、スピーカ１６に音声情報を送出する。
【００２２】
表示部１２は、出力制御部１１の制御に基づいて画面上に図形や画像などの情報およびテキスト情報を表示する。なお、図１の例では、表示部１２の画面左下に、３つのショートカットキー１７−１，１７−２，１７−３が表示されている。また、自車位置１８および自宅位置１９が表示されている。
【００２３】
目的地記憶部１３は、ナビゲーション機能部１０から出力される目的地情報を記憶している。
【００２４】
入力操作制御部１４は、ユーザが各種設定を入力するための操作部１５からの入力および／または表示部１２に表示されているショートカットキー１７−１，１７−２，１７−３に対応するタッチパネルからの入力を受け付ける。
【００２５】
操作部１５は、入力キーや押しボタンあるいは表示部１２のタッチパネルとは別に設けられたタッチパネルなどを有する。ユーザが目的地情報をナビゲーション装置１に入力する際には、操作部１５の入力キーまたは押しボタンによって目的地情報を入力する。操作部１５から入力された目的地情報は、入力操作制御部１４を介してナビゲーション機能部１０に渡される。ナビゲーション機能部１０は、入力操作制御部１４から渡された目的地情報を目的地記憶部１３に記憶させる。
【００２６】
スピーカ１６は、表示制御部１１から出力される音声情報を音として空気中に送出する。
【００２７】
（ナビゲーション装置１の動作について）
次に、ナビゲーション装置１の表示制御部１１の動作について図２および図３を参照して説明する。図２は、表示制御部１１の動作手順を示すフローチャートである。図３は、表示制御部１１の動作を説明するための図であり、表示部１２の表示例である。
【００２８】
ＳＴＡＲＴ：ナビゲーション装置１の表示制御部１１は、ナビゲーション装置１に電源が投入されるとステップＳ１の処理へ移行する。
【００２９】
ステップＳ１：表示制御部１１は、自車位置１８の情報を取得し、ステップＳ２の処理へ移行する。
【００３０】
ステップＳ２：表示制御部１１は、自車位置１８が自宅１９または会社２０から半径５０メートル（５０ｍ）以内か否かを判定する。すなわち、表示制御部１１は、自車位置１８が自宅１９または会社２０から半径５０メートル以内の場合（ステップＳ２でＹｅｓ）、ステップＳ３の処理へ移行する。一方、表示制御部１１は、自車位置１８が自宅１９または会社２０から半径５０メートルを超えている場合（ステップＳ２でＮｏ）、ステップＳ４の処理へ移行する。なお、図２の例では、一例として半径５０メートルとしたがこの半径は適宜変更可能である。
【００３１】
ステップＳ３：表示制御部１１は、自車位置１８が自宅１９から半径５０メートル以内か否かを判定する。すなわち、表示制御部１１は、自車位置１８が自宅１９から半径５０メートル以内である場合（ステップＳ３でＹｅｓ）、ステップＳ５の処理へ移行する。一方、表示制御部１１は、自車位置１８が自宅１９から半径５０メートル以内でない場合（ステップＳ３でＮｏ）、ステップＳ６の処理へ移行する。
【００３２】
ステップＳ４：表示制御部１１は、自車位置１８が直線距離で会社２０より自宅１９に近い位置か否かを判定する。すなわち、表示制御部１１は、自車位置１８が直線距離で会社２０より自宅１９に近い位置である場合（ステップＳ４でＹｅｓ）、ステップＳ５の処理へ移行する。一方、表示制御部１１は、自車位置１８が直線距離で会社２０より自宅１９に近い位置にない場合（ステップＳ４でＮｏ）、ステップＳ６の処理へ移行する。
【００３３】
ステップＳ５：表示制御部１１は、目的地として会社２０を選択し、会社２０をショートカットキー（たとえば１７−１とする）に割付けて処理を終了する（ＥＮＤ）。
【００３４】
ステップＳ６：表示制御部１１は、目的地として自宅１９を選択し、自宅１９をショートカットキー（たとえば１７−１とする）に割付けて処理を終了する（ＥＮＤ）。
【００３５】
なお、ショートカットキー１７−１の対応する目的地として、予め自宅１９および会社２０がペアーとして設定されているものとする。このとき、他のショートカットキー１７−２，１７−３の対応する目的地として、自宅１９、会社２０以外の目的地が設定されていたとすれば、図２のフローチャートの処理によって割付けが変更になるのはショートカットキー１７−１だけになる。
【００３６】
また、ショートカットキー１７−１，１７−２，１７−３への目的地の設定方法については、１つのショートカットキーに対して複数の機能を設定することができる従来から知られているあらゆる設定方法を採ることができるものとし、詳細な説明は省略する。
【００３７】
次に、表示制御部１１の動作を図３を参照してさらに詳細に説明する。なお、図３は、ナビゲーション装置１の表示部１２の表示例であり、一点鎖線４０は、表示画面を左右に分ける中心線になる。自車位置１８が自宅１９の半径３０以内にあるとき、または、自車位置１８が一点鎖線４０よりも自宅寄りにあるとき、表示制御部１１は、目的地として会社２０を選択してショートカットキー１７−１に会社２０を割付ける。一方、自車位置１８が会社２０の半径３１以内にあるとき、または、自車位置１８が一点鎖線４０よりも会社寄りにあるとき、表示制御部１１は、目的地として自宅１９を選択してショートカットキー１７−１に自宅１９を割付ける。
【００３８】
（目的地の設定方法について）
次に、ナビゲーション装置１における目的地の設定方法について図４を参照して説明する。図４は、ナビゲーション装置１における目的地の設定画面の表示例を示す図である。
【００３９】
まず、ユーザは、図１に示す表示部１２の表示例のように、ナビゲーション実行中における表示画面であってもショートカットキー１７−１〜１７−３を操作することによって、ショートカットキー１７−１〜１７−３の対応する目的地については瞬時に設定することができる。
【００４０】
したがって、以下の目的地の設定方法の説明は、ショートカットキー１７−１〜１７−３で設定可能な目的地以外の目的地を設定するときの目的地の設定方法の説明になる。
【００４１】
ユーザが操作部１５を操作するなどして目的地設定モードを選択すると、入力操作制御部１４は、図４に示すように、表示部１２に目的地設定画面を表示する。なお、本実施の形態では、入力操作制御部１４が表示部１２に目的地設定画面を表示するとして説明するが、入力操作制御部１４が出力制御部１１に目的地設定画面を表示部１２に表示させるように指示してもよい。
【００４２】
目的地設定画面には、名称設定用のアイコン５０、施設設定用のアイコン５１、住所設定用のアイコン５２、電話番号設定用のアイコン５３、郵便番号設定用のアイコン５４、ジャンル設定用のアイコン５５、およびショートカットキー１７−１ａ，１７−１ｂ，１７−２ａ，１７−２ｂ，１７−３ａ，１７−３ｂが表示される。
【００４３】
名称設定用のアイコン５０、施設設定用のアイコン５１、住所設定用のアイコン５２、電話番号設定用のアイコン５３、郵便番号設定用のアイコン５４、およびジャンル設定用のアイコン５５は、それぞれ目的地の名称、目的地の施設の種類、目的地の住所、目的地の電話番号、目的地の郵便番号、および目的地のジャンルの種類によって、目的地を設定するためのものである。このような設定方法については従来から知られているので詳細な説明は省略する。
【００４４】
このときに、自車位置１８に応じてショートカットキー１７−１ａまたは１７−１ｂのいずれか一方のみ、ショートカットキー１７−２ａまたは１７−２ｂのいずれか一方のみ、ショートカットキー１７−３ａまたは１７−３ｂのいずれか一方のみがそれぞれ表示されるようにしてもよい。
【００４５】
すなわち、図４の例では、ショートカットキー１７−１ａには自宅、ショートカットキー１７−１ｂには会社、ショートカットキー１７−２ａにはコンビニＡ、ショートカットキー１７−２ｂにはコンビニＢ、ショートカットキー１７−３ａには施設Ｃ、ショートカットキー１７−３ｂには施設Ｄがそれぞれ設定されている。これらのショートカットキー１７−１ａ，１７−１ｂのペアー、ショートカットキー１７−２ａ，１７−２ｂのペアー、ショートカットキー１７−３ａ，１７−３ｂのペアーについて、自車位置１８と自宅、会社、コンビニＡ、コンビニＢ、施設Ｃ、施設Ｄとの関係に基づき、ショートカットキー１７−１ａまたは１７−１ｂのいずれか一方のみ、ショートカットキー１７−２ａまたは１７−２ｂのいずれか一方のみ、ショートカットキー１７−３ａまたは１７−３ｂのいずれか一方のみがそれぞれ表示されるようにしてもよい。
【００４６】
（ショートカットキー１７−１ａ〜１７−３ｂの切替設定について）
次に、ナビゲーション装置１におけるショートカットキー１７−１ａ⇔１７−１ｂ、ショートカットキー１７−２ａ⇔１７−２ｂ、ショートカットキー１７−３ａ⇔１７−３ｂの切替設定方法について図５を参照して説明する。図５は、ナビゲーション装置１におけるショートカットキーの切替設定画面の表示例を示す図である。
【００４７】
ユーザが操作部１５を操作するなどしてショートカットキーの切替設定モード（不図示）を選択すると、入力操作制御部１４は、図５に示すように、表示部１２にショートカットキー切替設定画面が表示される。なお、本実施の形態では、入力操作制御部１４が表示部１２にショートカットキー切替設定画面を表示するとして説明するが、入力操作制御部１４が出力制御部１１にショートカットキー切替設定画面を表示部１２に表示させるように指示してもよい。
【００４８】
ショートカットキー切替設定画面には、切替えを手動で行うか自動で行うかを選択するためのアイコン６０，６１、切替範囲（すなわち、図３の半径３０，３１）設定のためのアイコン６２，６３，６４、優先表示時間指定を行うか否かを選択するためのアイコン６５，６６および優先表示時間指定を行う際の時間を設定するためのアイコン６７，６８，６９が表示される。また、アイコン６７，６８，６９に対応して時間設定を行うためのウィンドウ７０，７１，７２が表示される。
【００４９】
なお、選択されたアイコンはグレーアウトすることにより選択されていることがわかる。
【００５０】
図５の例では、優先表示時間指定を行う際の時間を設定するための３つのアイコン６７，６８，６９を図示したが、図４のショートカットキー１７−１ａ，１７−１ｂ，１７−２ａ，１７−２ｂ，１７−３ａ，１７−３ｂの６つにそれぞれ対応する６つのアイコンが表示されてもよい。
【００５１】
また、図５の３つのアイコン６７，６８，６９を用いる場合、たとえばアイコン６７がショートカットキー７１−１ａ，７１−１ｂに対応し、アイコン６８がショートカットキー７１−２ａ，７１−２ｂに対応し、アイコン６９がショートカットキー７１−３ａ，７１−３ｂに対応するようにする。そしてアイコン６７を操作する毎に、ショートカットキー７１−１ａに対する時間設定とショートカットキー７１−１ｂに対する時間設定とが交互に入れ代わるなどとすればよい。他のアイコン６８，６９についても同様である。また、優先表示時間指定のアイコン６５，６６をアイコン６７，６８，６９毎に設けてもよい。
【００５２】
図５に示すショートカットキーの切替設定画面の表示例において、自動的にショートカットキーの切替えを行いたい場合、ユーザは、アイコン６１を操作する。これにより出力制御部１１は、ショートカットキー１７−１ａ〜１７−３ｂに対して図２のフローチャートで説明した手順により、自動的にショートカットキーの切替えを実行する。
【００５３】
また、手動によりショートカットキーの切替えを行いたい場合、ユーザは、アイコン６０を操作する。なお、手動による切替えについては、ここでは詳細に説明しないが、たとえば表示部１２に手動切替えのためのアイコンを別途表示させ、ユーザがこのアイコンを操作する毎に、ショートカットキー１７−１ａ，１７−２ａ，１７−３ａからなるショートカットキー群とショートカットキー１７−１ｂ，１７−２ｂ，１７−３ｂからなるショートカットキー群とが交互に切り替わるといったものである。
【００５４】
また、ショートカットキー１７−１ａ〜１７−３ｂに対して自動的にショートカットキーの切替えを実行する際に、切替範囲の設定を行う必要がある。たとえば図３で説明した半径３０，３１を５０ｍとしたい場合、ユーザは、アイコン６２を操作する。また、図３で説明した半径３０，３１を２００ｍとしたい場合、ユーザは、アイコン６３を操作する。同様に、図３で説明した半径３０，３１を５００ｍとしたい場合、ユーザは、アイコン６４を操作する。これにより出力制御部１１は、ショートカットキー１７−１ａ〜１７−３ｂにそれぞれ設定されている目的地からの半径（５０ｍ，２００ｍ，５００ｍ）以内を図２に示すフローチャートにおけるステップＳ２，Ｓ３の判断基準値とする。
【００５５】
また、ショートカットキー１７−１ａ〜１７−３ｂに対して優先表示時間指定を行いたい場合、ユーザは、アイコン６５を操作する。これにより出力制御部１１は、ショートカットキー１７−１ａ〜１７−３ｂに対して優先表示時間指定を実行する。
【００５６】
ここで、優先表示時間指定とは、自車位置１８と目的地との関係などに関わらず、ショートカットキーを表示させておきたい時間を指定することをいう。たとえば、会社２０の営業時間内は、自車位置１８が会社２０の近傍であっても会社２０を目的地として設定するためのショートカットキーを表示しておきたいといった場合に優先表示時間指定を用いることができる。また、ショートカットキー１７−１ａ〜１７−３ｂに対して優先表示時間指定を実行する際には、前述したように、ショートカットキー１７−１ａ〜１７−３ｂに対して優先表示時間を、たとえばアイコン６７（キー１），アイコン６８（キー２），アイコン６９（キー３）を用いて設定する。なお、設定された時間の情報は、たとえば出力制御部１１内などのメモリ（不図示）に記憶される。
【００５７】
さらに、出力制御部１１は、ショートカットキー１７−１ａ〜１７−３ｂの使用頻度に応じてショートカットキー１７−１ａ〜１７−３ｂの表示または不表示を決定してもよい。
【００５８】
この場合、たとえば入力操作制御部１４は、ショートカットキー１７−１ａ〜１７−３ｂそれぞれの使用頻度を所定の期間にわたり計数する。
【００５９】
入力操作制御部１４が計数した使用頻度の情報は、たとえばナビゲーション機能部１０を介して出力制御部１１に渡される。出力制御部１１は、入力操作制御部１４が計数した使用頻度の情報に基づき使用頻度が所定の閾値未満または閾値以下のショートカットキー１７−１ａ〜１７−３ｂについては不表示とするようにしてもよい。
【００６０】
さらに、出力制御部１１は、図４の目的地設定画面により設定されたジャンルの情報に基づき、たとえば自車位置１８がコンビニエンスストアの近傍である場合、ジャンル設定において「コンビニ」が設定されているショートカットキー１７−１ａ〜１７−３ｂについては不表示としてもよい。
【００６１】
なお、これまで表示されていたショートカットキーが不表示になった場合、出力制御部１１は、画面上に残っているショートカットキー同士が等間隔になるように再配置することが好ましい。また、ショートカットキーの表示領域をユーザが自由に設定可能としてもよい。
【００６２】
（本発明の第１の実施の形態の効果について）
以上説明したように、ショートカットキー１７−１ａ〜１７−３ｂに対応して所定の目的地がそれぞれ設定され、自車位置１８と所定の目的地との位置関係または設定された時間帯に応じてショートカットキー１７−１ａ〜１７−３ｂの対応する目的地を複数の所定の目的地の中から選択する。
【００６３】
これにより、表示部１２の表示画面上で不要なショートカットキー１７−１ａ〜１７−３ｂの表示を無くすことができる。
【００６４】
さらに、ショートカットキー１７−１ａ〜１７−３ｂの中から自車位置１８と所定の目的地との位置関係または設定された時間帯またはショートカットキー１７−１ａ〜１７−３ｂの使用頻度または自車位置近傍の施設のジャンルに応じて非表示とするショートカットキーを選択する。
【００６５】
これにより、表示部１２の表示画面上で不要なショートカットキーの表示を、様々な条件に応じて無くすことができる。
【００６６】
このようにして不要なショートカットキーの表示を無くすことにより、表示画面の有効利用が図れると共に、ユーザの誤操作の可能性を排除できる。
【００６７】
（本発明の第２の実施の形態に係るナビゲーション装置１Ａについて）
本発明の第２の実施の形態に係るナビゲーション装置１Ａついて図６を参照して説明する。図６は、ナビゲーション装置１Ａにおける目的地設定画面の表示例を示す図である。なお、ナビゲーション装置１Ａの構成については、ナビゲーション装置１と同じであり、単に、表示制御部１１Ａの処理内容が異なる。よって、ナビゲーション装置１Ａの構成についての説明および図示を省略し、ナビゲーション装置１と同一の部材については同一の符号を用いる。
【００６８】
第１の実施の形態では、図４に示すように、ショートカットキー１７−１ａ⇔１７−１ｂ、ショートカットキー１７−２ａ⇔１７−２ｂ、ショートカットキー１７−３ａ⇔１７−３ｂが互いにペアーになっている。そして、出力制御部１１は、ショートカットキー１７−１ａ⇔１７−１ｂ、ショートカットキー１７−２ａ⇔１７−２ｂ、ショートカットキー１７−３ａ⇔１７−３ｂの各ペアー同士でその目的地のショートカットキー１７−１，１７−２，１７−３への割付けを切り替えている。
【００６９】
これに対し、第２の実施の形態では、図６に示すように、ショートカットキー１７−１ａ，１７−２ａ，および１７−３ａが１組のショートカットキー群８０を形成し、ショートカットキー１７−１ｂ，１７−２ｂ，および１７−３ｂが１組のショートカットキー群８１を形成している。
【００７０】
このとき出力制御部１１Ａは、ショートカットキー群８０またはショートカットキー群８１単位で目的地のショートカットキー１７−１，１７−２，１７−３への割付けを切り替える。たとえば、ショートカットキー群８０の複数のショートカットキー１７−１ａ，１７−２ａ，１７−３ａには自宅１９近傍の各種施設（コンビニ、病院、学校など）を目的地として設定し、ショートカットキー群８１の複数のショートカットキー１７−１ｂ，１７−２ｂ，１７−３ｂには会社２０近傍の各種施設を設定しておく。これによれば、自宅１９が設定されているショートカットキー１７−１ａが、会社２０が設定されているショートカットキー１７−１ｂに切り替わったときに、併せてその近傍にある施設が目的地として設定されているショートカットキー１７−２ａ，１７−３ａについてもショートカットキー１７−２ｂ，１７−３ｂに切り替わる。よって、たとえば自宅１９から会社２０に向かう途中に会社２０近傍のコンビニＢに立ち寄りたいといった要求に応えることができる。
【００７１】
また、このときに、前述したように、自車位置１８と所定の目的地との位置関係または設定された時間帯または使用頻度または自車位置近傍の施設のジャンルに応じて非表示とするショートカットキーを選択することにより、様々な条件に対応して不要となるショートカットキーの表示を不表示とすることができる。なお、１つのショートカットキー群８０，８１の中で不表示となるショートカットキーと表示されるショートカットキーとが混在してもよい。
【００７２】
（本発明の第２の実施の形態の効果について）
以上説明したように、ナビゲーション装置１Ａによれば、複数のショートカットキーに割付けられる目的地を同時に切り替えることができる。このように、同じ地域に存在する複数の目的地に対応するショートカットキーを同時に切り替えることができるため、ユーザの利便性を向上させることができる。また、様々な条件に対応して不要となるショートカットキーの表示を不表示とすることができる。これにより、表示画面の有効利用が図れると共に、ユーザが不要なショートカットキーを誤って操作することがなく、これによってもユーザの利便性を向上させることができる。
【００７３】
（本発明の第３の実施の形態に係るナビゲーション装置１Ｂについて）
本発明の第３の実施の形態に係るナビゲーション装置１Ｂについて図７および図８を参照して説明する。図７は、ナビゲーション装置１Ｂの表示部１２の表示例を示す図である。図８は、ナビゲーション装置１Ｂにおける目的地設定画面の表示例を示す図である。なお、ナビゲーション装置１Ｂの構成については、ナビゲーション装置１と同じであり、単に、出力制御部１１Ｂの処理内容が異なる。よって、ナビゲーション装置１Ｂの構成についての説明および図示を省略し、ナビゲーション装置１と同一の部材については同一の符号を用いる。
【００７４】
ナビゲーション装置１，１Ａでは、１つのショートカットキー１７−１，１７−２，１７−３への目的地の割付けの切替えを１対２で行う例を示したが、ナビゲーション装置１Ｂでは、これを１対ｎ（ｎは自然数）とする。たとえば図７は、自宅１９に対して２つの会社Ａ２１および会社Ｂ２２を目的地として設定する例である。一点鎖線４１は、表示画面の右半分を上下に２分割する中心線である。
【００７５】
これによれば、表示制御部１１Ｂは、一点鎖線４０と一点鎖線４１とで囲まれた領域のうちで、会社Ａ２１が含まれる領域に自車位置１８がある場合、目的地として自宅１９および会社Ｂ２２を選択する。一方、表示制御部１１Ｂは、一点鎖線４０と一点鎖線４１とで囲まれた領域のうちで、会社Ｂ２２が含まれる領域に自車位置１８がある場合、目的地として自宅１９および会社Ａ２１を選択する。また、表示制御部１１Ｂは、一点鎖線４０から左側の領域に自車位置１８がある場合、目的地として会社Ａ２１および会社Ｂ２２を選択する。
【００７６】
このように３箇所の目的地を設定する場合には、図８に示すように、ショートカットキー１７−１ａ⇔１７−１ｂ⇔１７−１ｃ、ショートカットキー１７−２ａ⇔１７−２ｂ⇔１７−２ｃ、ショートカットキー１７−３ａ⇔１７−３ｂ⇔１７−３ｃが表示部１２に表示される。これにより、たとえばショートカットキー１７−１ａに自宅１９を設定し、ショートカットキー１７−１ｂに会社Ａ２１を設定し、ショートカットキー１７−１ｃに会社Ｂ２２を設定することができる。
【００７７】
（第３の実施の形態の効果）
以上説明したように、ナビゲーション装置１Ｂでは、ショートカットキーの目的地の割付けの切り替えを１対ｎで行うことができる。これにより、ユーザの利便性を向上させることができる。
【００７８】
（プログラムの実施の形態）
ナビゲーション装置１，１Ａ，１Ｂのナビゲーション機能部１０、表示制御部１１，１１Ａ，１１Ｂ、入力操作制御部１４は、所定のプログラムにより動作する汎用の情報処理装置（ＣＰＵ、ＤＳＰ(Digital Signal Processor)、マイクロプロセッサ（マイクロコンピュータ）など）によって構成されてもよい。例えば、汎用の情報処理装置は、メモリ、ＣＰＵ、入出力ポートなどを有する。汎用の情報処理装置のＣＰＵは、メモリなどから所定のプログラムとして制御プログラムを読み込んで実行する。これにより、汎用の情報処理装置には、ナビゲーション装置１，１Ａ，１Ｂのナビゲーション機能部１０、出力制御部１１，１１Ａ，１１Ｂ、入力操作制御部１４の機能が実現される。また、その他の機能（目的地機能部１３の制御機能など）についてもソフトウェアにより実現可能な機能については汎用の情報処理装置とプログラムとによって実現することができる。
【００７９】
なお、汎用の情報処理装置が実行する制御プログラムは、ナビゲーション装置１，１Ａ，１Ｂの出荷前に、汎用の情報処理装置のメモリなどに記憶されたものであっても、ナビゲーション装置１，１Ａ，１Ｂの出荷後に、汎用の情報処理装置のメモリなどに記憶されたものであってもよい。また、制御プログラムの一部が、ナビゲーション装置１，１Ａ，１Ｂの出荷後に、汎用の情報処理装置のメモリなどに記憶されたものであってもよい。ナビゲーション装置１，１Ａ，１Ｂの出荷後に、汎用の情報処理装置のメモリなどに記憶される制御プログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【００８０】
また、制御プログラムは、汎用の情報処理装置によって直接実行可能なものだけでなく、ハードディスクなどにインストールすることによって実行可能となるものも含む。また、圧縮されたり、暗号化されたりしたものも含む。
【００８１】
このように、汎用の情報処理装置とプログラムによってナビゲーション装置１，１Ａ，１Ｂのナビゲーション機能部１０、出力制御部１１，１１Ａ，１１Ｂ、入力操作制御部１４などの機能を実現することにより、大量生産や仕様変更に対して柔軟に対応可能となる。
【００８２】
（その他の実施の形態）
上述した実施の形態は、その要旨を逸脱しない限り、様々に変更が可能である。たとえば、半径３０，３１の設定は、５０ｍ、２００ｍ、５００ｍとしたがそれ以外でもよい。また、半径３０，３１の設定は、５０ｍ、２００ｍ、５００ｍの中から選択するように説明したが、任意の数値を直接入力してもよい。
【００８３】
また、図２、図１３のフローチャートにおいて「半径５０ｍ以内か？」を「半径５０ｍ未満か？」としてもよい。
【符号の説明】
【００８４】
１，１Ａ，１Ｂ…ナビゲーション装置、１０…ナビゲーション機能部（表示制御手段の一部）、１１，１１Ａ，１１Ｂ…出力制御部（表示制御手段の主部）、１２…表示部（表示手段）、１３…目的地記憶部、１４…入力操作制御部（表示制御手段の一部）、１５…操作部、１６…スピーカ、１７−１、１７−２、１７−３、１７−１ａ〜１７−３ｃ…ショートカットキー、１８…自車位置、１９…自宅、２０〜２２…会社、３０〜３３…半径、４０、４１…一点鎖線、５０〜５５、６０〜６８…アイコン、８０，８１…ショートカットキー群
【図１】
2010276501.tif 000003
【図２】
2010276501.tif 000004
【図３】
2010276501.tif 000005
【図４】
2010276501.tif 000006
【図５】
2010276501.tif 000007
【図６】
2010276501.tif 000008
【図７】
2010276501.tif 000009
【図８】
2010276501.tif 000010